(57)【要約】【課題】絶縁樹脂製ケースの凹部内にスイッチ接点部が収容され、その凹部が金属製カバーで覆われて構成されているスイッチに関し、外方から流入する静電気の影響がスイッチ接点部に及ばないものを提供することを目的とする。【解決手段】ケース１内に収容されたスイッチ接点部上を覆うカバー２１の下面に絶縁性皮膜２３を一体に配したものとしたため、カバー２１に流入する静電気がスイッチ接点部に飛ぶことを防止でき、スイッチ接点部に接続されている機器の回路部を保護することも可能となる。【選択図】図１
2005149738.tif 000002
【特許請求の範囲】
【請求項１】
樹脂製のケースの上方開口凹部内にスイッチ接点部が収容され、その凹部が金属製カバーで覆われて構成されるスイッチであって、上記凹部に面する上記金属製カバー下面に絶縁性皮膜が配されているスイッチ。
【請求項２】
金属製カバーに脚部が配され、その脚部が、搭載された配線基板のアース部に近接配置または半田付け固定可能となされた請求項１記載のスイッチ。
【請求項３】
金属製カバーの脚部が、ケースを抱くように上記ケース底面側に折り曲げて延設してある請求項２記載のスイッチ。
【発明の詳細な説明】
【技術分野】
【０００１】
本発明は、各種電子機器に搭載され、絶縁樹脂製ケースの凹部内にスイッチ接点部が収容され、その凹部が金属製カバーで覆われて構成されているスイッチに関するものである。
【背景技術】
【０００２】
近年、各種電子機器の小形軽量化に伴い、入力操作部や各種検出機構などに使用されるスイッチも、小形薄型のものが好まれて使用されるようになっている。
【０００３】
このような従来のスイッチについて、図７〜図９を用いて説明する。
【０００４】
図７は従来のスイッチの外観斜視図、図８は同カバーを除いた上面図、図９は同図８のＸ−Ｘ線におけるカバーを含む断面図である。
【０００５】
同図において、１は、上方開口凹部を有する絶縁樹脂製のケース、２は、上記ケース１の開口部分を覆うようにケース１に結合された金属薄板製のカバーであり、ケース１とカバー２とで構成されるケース１内の空間部分には、スイッチ接点部が配設されている。
【０００６】
また、３は、操作レバー４と本体部５が成形樹脂で一体形成された操作部材であり、この操作部材３は、図８に示すように、本体部５の両側面から水平側方に延設された円柱突起６が、ケース１の支持部１Ａに載せられて回転可能に保持され、操作レバー４は、ケース１の前方部から斜め上方に向けて突出している。
【０００７】
そして、その操作レバー４を上方に傾倒操作すると、操作部材３は上記保持部分を中心として全体的に回動し、上記スイッチ接点部の状態切り換えがなされる構成となっている。
【０００８】
ここで、スイッチ接点部の構造について説明すると、図８に示すように、ケース１の凹部を構成している右側内壁には第一接点１１が露出状態で固定され、また後方内壁には第二接点１２が露出状態で固定されていると共に、各々は、ケース１外に第一端子１１Ａ、第二端子１２Ａとして導出されている。
【０００９】
そして、１５は、金属薄板からなる可動接触片であり、その一端側に構成されたコの字状の固定部１５Ａが第一接点１１に常接状態となるようにケース１内に固定されている。
【００１０】
また、上記可動接触片１５は、他端部側に構成された接触部１５Ｃが、ケース１の後方内壁面に弾接する形状に、上記固定部１５Ａから延設された平板部１５Ｂが所定位置で屈曲形成されて構成されている。
【００１１】
なお、図８に示すスイッチの非操作状態では、可動接触片１５は若干後方側に撓んだ状態になっていると共に、その接触部１５Ｃは、第二接点１２と離間したケース１の後方内壁面の位置に弾接停止している。
【００１２】
そして、可動接触片１５の平板部１５Ｂ前面部分には、ケース１底面に対して水平回転可能に支持された駆動片１７の後面に当接し、また、その駆動片１７の前部は操作部材３の本体部５に当接しており、上記可動接触片１５の前方への付勢力は、駆動片１７を介して操作部材３の本体部５に加わっている。
【００１３】
そして、上記前方への付勢力が加わっている操作部材３は、本体部５の後方側に突出させて設けた規制用凸部５Ａ下面が、ケース１の段部１Ｂ上に当接することによって所定の角度位置で停止している。
【００１４】
以上のように構成された従来のスイッチの動作は、操作レバー４を下方に向けて傾倒させると、操作部材３が回動して本体部５後面で駆動片１７を後方側に押して駆動片１７をケース１後方側に水平回転移動させ、その移動に応じて可動接触片１５の平板部１５Ｂ前面部分が後方側に押されて、可動接触片１５が、上記固定部１５Ａを除き図８中で左回転方向に回動し接触部１５Ｃが第二接点１２に接触する。
【００１５】
これにより、可動接触片１５を介して第一接点１１と第二接点１２との間、つまり第一端子１１Ａと第二端子１２Ａとの間が導通状態となる。
【００１６】
そして、操作レバー４への傾倒操作力を除くと、可動接触片１５が元の形状に復元して接触部１５Ｃが第二接点１２から離れ、第一接点１１と第二接点１２とは再び電気的独立状態に戻る。
【００１７】
それと同時に、可動接触片１５の平板部１５Ｂ前面が、駆動片１７を前方側に押し返して駆動片１７を水平回転移動させて操作部材３の本体部５後面を前方側に押し返す。
【００１８】
そして、操作部材３は、上記の力が加わると保持部分を中心として操作レバー４が斜め上方に向く方向に回動し、本体部５に設けた規制用凸部５Ａ下面がケース１の段部１Ｂ上に当接することにより、操作レバー４が図７および図８に示す非操作状態の角度位置で停止した元の状態に戻るものであった。
【００１９】
なお、この出願の発明に関連する先行技術文献情報としては、例えば、特許文献１が知られている。
【特許文献１】特開２００１−１８４９９４号公報
【発明の開示】
【発明が解決しようとする課題】
【００２０】
しかしながら、上記従来のスイッチにおいては、金属薄板製のカバー２を介して外方から流入する静電気を、搭載された配線基板に配された回路部のアース部等に逃すことが可能なものではあったが、使用機器側からは、さらなる静電気対策品の開発要望も高くなってきている。
【００２１】
本発明は、このような従来の課題を解決するものであり、外方から流入する静電気を金属製のカバーを介して逃がせると共に、その静電気の影響がスイッチ接点部に及ばず、スイッチ接点部に接続されている回路部における信号ラインの保護もできる静電気対策が講じられたスイッチを提供することを目的とする。
【課題を解決するための手段】
【００２２】
上記目的を達成するために本発明は、以下の構成を有するものである。
【００２３】
本発明の請求項１に記載の発明は、樹脂製のケースの上方開口凹部内にスイッチ接点部が収容され、その凹部が金属製カバーで覆われて構成されるスイッチであって、上記凹部に面する上記金属製カバー下面に絶縁性皮膜が配されているスイッチとしたものであり、カバーに外方からの静電気が流入しても、静電気をカバーを介して逃がすことができると共に、カバーの金属部分とスイッチ接点部との間に絶縁性皮膜を配して絶縁性を高めた構成であるため、その静電気がスイッチ接点部に飛ぶことを防止でき、スイッチ接点部に接続されている機器の回路部が保護できるという作用を有する。
【００２４】
請求項２に記載の発明は、請求項１記載の発明において、金属製カバーに脚部が配され、その脚部が、搭載された配線基板のアース部に近接配置または半田付け固定可能となされたものであり、カバーの脚部から静電気を確実に配線基板のアース部に逃がせるという作用を有する。
【００２５】
請求項３に記載の発明は、請求項２記載の発明において、金属製カバーの脚部が、ケースを抱くように上記ケース底面側に折り曲げて延設してあるものであり、ケースとカバーとの結合度合いが高く、かつ投影面積も小さい形状に構成できるので、スイッチの小形化への要望対応も可能となるという作用を有する。
【発明の効果】
【００２６】
以上のように本発明によれば、金属製カバー下面に絶縁性皮膜を配して、スイッチ接点部とカバーとの間の絶縁性を高めると共に、外方から流入する静電気を金属製のカバーを介して逃がせる構成であるため、その静電気の影響がスイッチ接点部に及ばず、スイッチ接点部に接続されている機器の回路部が保護できるという静電気対策が講じられたものが得られるという有利な効果が得られる。
【発明を実施するための最良の形態】
【００２７】
以下、本発明の実施の形態について、図１〜図６を用いて説明する。
【００２８】
なお、従来の技術の項で説明した構成と同一構成の部分には同一符号を付して、詳細な説明を簡略化する。
【００２９】
（実施の形態）
図１は本発明の一実施の形態によるスイッチの外観斜視図、図２は同部分断面の前面図、図３は同カバーを一部切り欠いた上面図、図４は同図３のＸ−Ｘ線におけるカバーを含む断面図である。
【００３０】
同図に示すように、本実施の形態によるスイッチは、従来同様に、上方開口凹部を有する絶縁樹脂製のケース１内に、従来と同一構成のスイッチ接点部が収容され、その凹部はケース１に固定されたカバー２１で覆われて構成されている。
【００３１】
なお、従来のものと同一構成のスイッチ接点部等についての詳細な図示や説明は省略する。
【００３２】
そして、本実施の形態によるスイッチは、上記カバー２１の構成が従来のものとは異なり、このカバー２１によって静電気に対するさらなる対策が講じられたものとなっている。
【００３３】
すなわち、カバー２１は、図３などに示すように、金属薄板を基材２２とし、そのスイッチ接点部に面する下面全面に絶縁性皮膜２３が一体形成されたもので構成されている。
【００３４】
そして、その絶縁性皮膜２３は、ケース１の上方開口凹部を構成している側壁の上端部分をも含むようにして配されており、基材２２は、スイッチ組み立て後にスイッチ接点部側に露出しないようになっている。
【００３５】
なお、上記絶縁性皮膜２３は、絶縁性のものであれば特に限定はされないが、厚みを薄く形成できて基材２２との密着性に優れ、耐環境特性や耐薬品性に優れる例えば６６ナイロンやフッ素などの材質のものが好ましい。
【００３６】
また、絶縁性皮膜２３が基材２２に一体化してあるものを用いると、組み立て時における絶縁性皮膜２３への傷などの発生も低減でき、しかも自動化なども容易に可能になるため、小形薄型化が進んでいる検出用のスイッチの場合に特に好ましい。
【００３７】
そして、このカバー２１は、対向する一対の脚部２１Ａを前方部分に有し、各脚部２１Ａが、ケース１の各側壁外方から底部までを抱きかかえるように曲げられてケース１に結合されている。
【００３８】
本実施の形態によるスイッチは、以上のように構成され、従来同様に、操作部材３の操作レバー４を傾倒操作して駆動片（図示せず）を移動させ、その駆動片で、第一接点１１に常接している可動接触片１５を移動させ、可動接触片１５の接触部１５Ｃを第二接点１２に接離させてスイッチ接点部のスイッチングを図るものである。
【００３９】
そして、当該スイッチは、カバー２１に設けた脚部２１Ａを使用機器の配線基板のアース部に接続することにより、外方からカバー２１に静電気が流入した際、その静電気を、上記カバー２１における金属薄板製の基材２２から脚部２１Ａを介して上記アース部に逃がすことができる。
【００４０】
このとき、カバー２１において、スイッチ接点部に面する基材２２の下面側全面に上記絶縁性皮膜２３が密着状態で一体形成されているので、スイッチ接点部とカバー２１の基材２２との間の絶縁性は高く、カバー２１に流入した静電気が基材２２からスイッチ接点部に飛ぶこともなく、スイッチ接点部に接続されている使用機器の回路部における信号ラインに、当該スイッチ接点部を介して静電気が流入する影響等をなくせて回路部をも保護することができる。
【００４１】
また、本実施の形態によるスイッチは、カバー２１の構成を変更するのみであるため、新たな設備導入などを必要とせず、従来の設備や他の部品等を共用して使用できるため、コストアップが少なく構成することができる。
【００４２】
そして、図２に示すように、脚部２１Ａでケース１の底部を抱き込む構成であれば、絶縁性皮膜２３とケース１の側壁上端部分との密着度合いも高くでき、防塵性なども向上すると共に、その脚部２１Ａの側面下端を半田付け固定等もし易く、装着性にも優れた小さい投影面積のものにできる。
【００４３】
なお、本発明は、スイッチ接点部上を覆う金属製のカバーにおいて、スイッチ接点部に面する側に基材と一体に絶縁性皮膜を配し、その絶縁性皮膜を介在させることによって絶縁性の向上を図るものであるため、上記に説明したスイッチ接点部の構成やスイッチ操作形態等に拘わらず、あらゆるスイッチに適用可能であり、またカバー２１の脚部２１Ａも、上記に説明した形状以外のものであってもよい。
【００４４】
例えば、プッシュタイプのスイッチに本発明を適用すると、図５および図６に示すように、コイルバネからなる可動接触片３１などから構成されたスイッチ接点部が収容されたケース３５の凹部上を、金属薄板製の基材３３下面に絶縁性皮膜３４が一体に配されたカバー３２で覆うようにして構成すれば、同様の効果が得られるものにできる。
【００４５】
また、その脚部３２Ａとしても、図６の側面図に示すように、ケース３５の側面下方に延出させたのみの形状とし、その脚部３２Ａ下端位置を、配線基板のアース部に対して若干の間隔を持つ近接対向状態に当該スイッチを装着すれば、静電気をアース部に逃がすことができる。
【００４６】
この場合であっても、脚部３２Ａを半田付け固定すると機械的強度も増すので好ましい。
【００４７】
以上のように、本発明によるスイッチは、外部から加わる静電気が、スイッチ接点部に流入しないようにできるので、当該スイッチを介して使用機器の回路部にも静電気の影響が加わることが防止できるものである。
【産業上の利用可能性】
【００４８】
本発明によるスイッチは、金属製カバー下面に配された絶縁性皮膜でスイッチ接点部とカバーとの間の絶縁性が高められ、カバーに流入する静電気がスイッチ接点部に飛ぶことを防止できて、当該スイッチ接点部に接続されている機器の回路部が保護できるという静電気対策が講じられたものを実現できるという効果を有し、絶縁樹脂製ケースの凹部内にスイッチ接点部が収容され、その凹部が金属製カバーで覆われて構成される各種スイッチ、さらには他の電子部品等にも有用である。
【図面の簡単な説明】
【００４９】
【図１】本発明の一実施の形態によるスイッチの外観斜視図
【図２】同部分断面の前面図
【図３】同カバーを一部切り欠いた上面図
【図４】同図３のＸ−Ｘ線におけるカバーを含む断面図
【図５】同他の構成のスイッチ事例を示すカバーを一部切り欠いた上面図
【図６】同側面図
【図７】従来のスイッチの外観斜視図
【図８】同カバーを除いた上面図
【図９】同図８のＸ−Ｘ線におけるカバーを含む断面図
【符号の説明】
【００５０】
１，３５  ケース
３  操作部材
４  操作レバー
１１  第一接点
１２  第二接点
１５，３１  可動接触片
１５Ｃ  接触部
２１，３２  カバー
２１Ａ，３２Ａ  脚部
２２，３３  基材
２３，３４  絶縁性皮膜
【図１】
2005149738.tif 000003
【図２】
2005149738.tif 000004
【図３】
2005149738.tif 000005
【図４】
2005149738.tif 000006
【図５】
2005149738.tif 000007
【図６】
2005149738.tif 000008
【図７】
2005149738.tif 000009
【図８】
2005149738.tif 000010
【図９】
2005149738.tif 000011